(57)【要約】【課題】受信回路が外部からのノイズによる悪影響を受けにくい構造のアンテナ装置を得る。【解決手段】平面部１０を有する親基板２０上に、「逆Ｆ型」の平面アンテナであるＵＨＦアンテナ１を、平面部１０が平面視して受信回路２１の全面を覆うように設ける。ＵＨＦアンテナ１は平面部１０の所定のエッジから下方に向けて延設される給電端部１１、短絡端部１２及びシールド端部１３ａ〜１３ｄａを備え、シールド端部１３ａ〜１３ｄはそれぞれＧＮＤ部２５に接続され、シールド端部１３ａ〜１３ｄと給電端部１１とのそれぞれ給電・シールド間距離は、給電端部１１，短絡端部１２間の給電・短絡間距離の２倍以上に設定される。【選択図】図２
2012235337.tif 000002
【特許請求の範囲】
【請求項１】
受信回路、所定長の配線を介して接地するスタブ部及び接地部を表面に有する基板と、
前記基板に設けられ、前記受信回路の上方に配置される平面部を有する逆Ｆ字型の平面アンテナとを備え、前記平面部は平面視して前記受信回路の全面を覆い、
前記平面アンテナは、各々が前記平面部から下方に向けて延設される給電部及び短絡部を含み、前記給電部は前記受信回路に接続され、前記短絡部は前記スタブ部に接続され、前記給電部と前記短絡部とは所定の距離を呈し、
前記平面アンテナは、前記平面部から下方に向けて延設される少なくとも一つのシールド部をさらに備え、前記少なくとも一つのシールド部はそれぞれ前記接地部に接続され、前記少なくとも一つのシールド部それぞれと前記給電部との距離は、前記所定の距離の２倍以上に設定される、
アンテナ装置。
【請求項２】
請求項１記載のアンテナ装置であって、
前記平面部は少なくとも一つの開口部を有することを特徴とする、
アンテナ装置。
【請求項３】
請求項１あるいは請求項２記載のアンテナ装置であって、
前記少なくとも一つのシールド部はそれぞれコンデンサを介して前記接地部に接続されることを特徴とする、
アンテナ装置。
【発明の詳細な説明】
【技術分野】
【０００１】
この発明は、受信回路を有する基板上に平面アンテナを有するアンテナ装置に関する。
【背景技術】
【０００２】
携帯電話等の受信回路を有する機器が用いる平面アンテナとして例えば特許文献１に開示された「逆Ｌ型」の平面アンテナがある。特許文献１で開示された平面アンテナは基板上から離隔して設けられており、使用者によるアンテナの同調ずれの問題を軽減している。
【先行技術文献】
【特許文献】
【０００３】
【特許文献１】特許第４６１１２９９号公報
【発明の概要】
【発明が解決しようとする課題】
【０００４】
受信回路は、外部より悪影響を及ぼすノイズを受けると受信感度が劣化する性質を有している。しかしながら、特許文献１で開示されたような従来の平面アンテナでは、基板に設けられた受信回路が外部からのノイズに受ける受信性能の劣化に対する対策は何ら施していないというという問題点があった。
【０００５】
この発明は上記問題点を解決するためになされたもので、受信回路が外部からのノイズによる悪影響を受けにくい構造のアンテナ装置を得ることを目的とする。
【課題を解決するための手段】
【０００６】
この発明に係る請求項１記載のアンテナ装置は、受信回路、所定長の配線を介して接地するスタブ部及び接地部を表面に有する基板と、前記基板に設けられ、前記受信回路の上方に配置される平面部を有する逆Ｆ字型の平面アンテナとを備え、前記平面部は平面視して前記受信回路の全面を覆い、前記平面アンテナは、各々が前記平面部から下方に向けて延設される給電部及び短絡部を含み、前記給電部は前記受信回路に接続され、前記短絡部は前記スタブ部に接続され、前記給電部と前記短絡部とは所定の距離を呈し、前記平面アンテナは、前記平面部から下方に向けて延設される少なくとも一つのシールド部をさらに備え、前記少なくとも一つのシールド部はそれぞれ前記接地部に接続され、前記少なくとも一つのシールド部それぞれと前記給電部との距離は、前記所定の距離の２倍以上に設定される。
【０００７】
請求項２の発明は、請求項１記載のアンテナ装置であって、前記平面部は少なくとも一つの開口部を有する。
【０００８】
請求項３の発明は、請求項１あるいは請求項２記載のアンテナ装置であって、前記少なくとも一つのシールド部はそれぞれコンデンサを介して前記接地部に接続される。
【発明の効果】
【０００９】
この発明における請求項１記載のアンテナ装置において、平面アンテナは、平面部から下方に向けて延設される少なくとも一つのシールド部をさらに備えている。
【００１０】
このため、外部から受けるノイズを平面部及び少なくとも一つのシールド部を介して接地部に逃がすことにより、平面部下方の受信回路をノイズから効果的に保護することができる。
【００１１】
また、給電部，少なくとも一つのシールド部間の距離は、給電部，短絡部間の所定の距離の２倍以上に設定されているため、シールド部の存在がアンテナ機能に影響を及ぼすこともない。
【００１２】
その結果、請求項１記載の本願発明であるアンテナ装置は、受信回路が外部からのノイズによる悪影響を受けにくい構造を呈することができる効果を奏する。
【００１３】
請求項２記載の本願発明において、平面アンテナの平面部に少なくとも一つの開口部を設けることによって、平面アンテナによる同調周波数の微調整を行うことができ、同調周波数精度の向上を図ることができる。
【００１４】
請求項３記載の本願発明において、少なくとも一つのシールド部をコンデンサを介して接地部に接続することにより、少なくとも一つのシールド部が各々特定の周波数に対するノイズ除去機能が優れたフィルタ的働きを発揮することができる。
【００１５】
その結果、少なくとも一つのコンデンサの容量値を適切に設定して、受信回路に影響を与えるノイズのみ選択的に除去するようにすることにより、平面アンテナのアンテナ機能にほとんど影響を与えることなく、平面部下方の受信回路をノイズから効果的に保護することができる。
【図面の簡単な説明】
【００１６】
【図１】この発明の実施の形態１であるのアンテナ装置における「逆Ｆ字」の平面アンテナであるＵＨＦアンテナの構成を模式的に示す斜視図である。
【図２】実施の形態１のアンテナ装置の全体構成を模式的に示す斜視図である。
【図３】実施の形態１のアンテナ装置におけるＵＨＦアンテナと平面部との平面視位置関係及び電気的接続関係を模式的に示す平面図である。
【図４】この発明の実施の形態２のアンテナ装置で用いられるＵＨＦアンテナの構造を模式的に示す斜視図である。
【図５】この発明の実施の形態３で用いられるＵＨＦアンテナの電気的接続関係を模式的に示す斜視図である。
【発明を実施するための形態】
【００１７】
＜実施の形態１＞
（ＵＨＦアンテナ１）
図１はこの発明の実施の形態１であるのアンテナ装置における「逆Ｆ字」の平面アンテナであるＵＨＦアンテナの構成を模式的に示す斜視図である。
【００１８】
同図に示すように、ＵＨＦアンテナ１は平面部１０、給電端部１１、短絡端部１２及びシールド端部１３ａ〜１３ｄから構成される。
【００１９】
平面部１０は矩形状の平面形状を呈しており、後述する受信回路を平面視して完全に覆う広さを有している。平面部１０の図中前方のエッジ１０ｆから直角に折れ曲がり、下方に延在して給電端部１１が設けられる。同様にエッジ１０ｆから直角に折れ曲がり、下方に延在して短絡端部１２が設けられる。
【００２０】
給電端部１１，短絡端部１２間は例えば２０ｍｍ以下の比較的近接した給電・短絡間距離Ｄ１（所定の距離）で配置される。給電端部１１は後述する受信回路２１に電気的に接続され、短絡端部１２は後述するＧＮＤ接続用スタブ２２（枝のように分岐する短い配線）に電気的に接続される。
【００２１】
一方、エッジ１０ｆに対し図中右側に位置するエッジ１０ｒから直角に折れ曲がり、下方延在してシールド端部１３ａが設けられる。さらに、エッジ１０ｆに対向するエッジ１０ｂから、各々が直角に折れ曲がり下方に延在してシールド端部１３ｂ〜１３ｄが設けられる。そして、シールド端部１３ａ〜１３ｄの先端は親基板２０の表面に接する。
【００２２】
シールド端部１３ａ〜１３ｄは後述するＧＮＤ（グラウンド）部２５に電気的に接続される。また、詳述するが、給電端部１１からシールド端部１３ａ〜１３ｄまでの給電・シールド間距離Ｄ２ａ〜Ｄ２ｄは給電・短絡間距離Ｄ１の２倍以上の長さに設定される。
【００２３】
（全体構成）
図２は実施の形態１のアンテナ装置の全体構成を模式的に示す斜視図である。同図に示すように、親基板２０の表面に受信回路２１、ＧＮＤ接続用スタブ２２、ＩＣ部２３、電源回路２４及びＧＮＤ部２５が設けられる。さらに、給電端部１１、短絡端部１２及びシールド端部１３ａ〜１３ｄの先端を親基板２０の表面上に密着させ、受信回路２１の上方に平面部１０が配置されるようにＵＨＦアンテナ１が親基板２０上に設けられる。
【００２４】
図３はＵＨＦアンテナ１と平面部１０との平面視位置関係及び電気的接続関係を模式的に示す平面図である。
【００２５】
同図に示すように、ＵＨＦアンテナ１の平面部１０は平面視して受信回路２１の全面を覆うように設けられる。また、給電端部１１は受信回路２１に電気的に接続され、短絡端部１２はＧＮＤ接続用スタブ２２を介して接地される。なお、接地される部分を含めてＧＮＤ接続用スタブ２２を単に「スタブ部」と称する。
【００２６】
一方、シールド端部１３ｄはそれぞれＧＮＤ部２５に電気的に接続される。なお、説明の都合上、ＧＮＤ部２５を一つのまとまった領域として示したが、ＧＮＤ部２５として一般的なＧＮＤ配線等を用いることは勿論可能である。
【００２７】
このようにＵＨＦアンテナ１を設けることにより、主として平面部１０の形状、給電・短絡間距離Ｄ１及びスタブ部におけるＧＮＤ接続用スタブ２２の配線長によって、ＵＨＦアンテナ１の同調周波数は決定され、アンテナとして必要な利得を得ることができる。また、比較的広い形状の平面部１０を有することによってＵＨＦアンテナ１は高利得でアンテナの周波数帯域を広くとることができる。
【００２８】
図２において、給電端部１１，シールド端部１３ａ〜１３ｄ間の給電・シールド間距離Ｄ２ａ〜Ｄ２ｄは、前述したように、給電端部１１，短絡端部１２間の給電・短絡間距離Ｄ１の２倍以上の長さに設定されているため、シールド端部１３ａ〜１３ｄはＵＨＦアンテナ１によるアンテナ機能にはほとんど関与しない。
【００２９】
シールド端部１３ａ〜１３ｄは外部からノイズを平面部１０、シールド端部１３ａ〜１３ｄを介してＧＮＤ部２５に逃がすことができるため、平面部１０下方の受信回路２１をノイズから効果的に保護することができる。すなわち、ＵＨＦアンテナ１は、平面部１０、シールド端部１３ａ〜１３ｄによって、受信回路２１をノイズから保護するシールド機能を発揮することができる。この際、比較的広い形状の平面部１０を有することによってＵＨＦアンテナ１はシールド効果をより高くすることができる。
【００３０】
このように、実施の形態１のアンテナ装置において、ＵＨＦアンテナ１は平面部１０から下方に向けて延設されるシールド端部１３ａ〜１３ｄを備え、シールド端部１３ａ〜１３ｄはそれぞれＧＮＤ部２５に接続されている。
【００３１】
このため、外部から受けるノイズを平面部１０及びシールド端部１３ａ〜１３ｄを介してＧＮＤ部２５に逃がすことにより、平面部１０下方の受信回路２１をノイズから効果的に保護することができる。
【００３２】
また、給電端部１１，シールド端部１３ａ〜１３ｄ間の給電・シールド間距離Ｄ２ａ〜Ｄ２ｄは、給電端部１１，短絡端部１２間の給電・短絡間距離Ｄ１の２倍以上に設定されているため、シールド端部１３ａ〜１３ｄの存在がアンテナ機能に影響を及ぼすこともない。
【００３３】
その結果、実施の形態１のアンテナ装置は、受信回路２１が外部からのノイズによる悪影響を受けにくい構造を呈することができる。
【００３４】
＜実施の形態２＞
図４はこの発明の実施の形態２であるアンテナ装置で用いられるＵＨＦアンテナ２の構造を模式的に示す斜視図である。同図に示すように、平面部１０に複数の開口部１４を設けたことを特徴としている。ＵＨＦアンテナ２の他の構造及びアンテナ装置内におけるＵＨＦアンテナ２の配置及び電気的に接続関係は、図１〜図３で示した実施の形態１と同様である。
【００３５】
このように、実施の形態２のアンテナ装置において、ＵＨＦアンテナ２の平面部１０に複数の開口部１４を設けることによって、ＵＨＦアンテナ２による同調周波数の微調整を行うことができ、同調周波数精度の向上を図ることができる。
【００３６】
＜実施の形態３＞
図５はこの発明の実施の形態３で用いられるＵＨＦアンテナ３の電気的接続関係を模式的に示す斜視図である。同図に示すように、シールド端部１３ａ〜１３ｄとＧＮＤ部２５との間にコンデンサＣ１３ａ〜Ｃ１３ｄを介挿している。そして、コンデンサＣ１３ａ〜Ｃ１３ｄ間で各々の容量値を変えている。なお、ＵＨＦアンテナ３の構造、アンテナ装置内における配置及び他の電気的に接続関係は、図１〜図３で示した実施の形態１と同様である。
【００３７】
このように、実施の形態３のアンテナ装置において、シールド端部１３ａ〜１３ｄをコンデンサＣ１３ａ〜Ｃ１３ｄを介してＧＮＤ部２５に接続することにより、シールド端部１３ａ〜１３ｄ及びコンデンサＣ１３ａ〜Ｃ１３ｄが各々特定の周波数に対するノイズをＧＮＤ部２５に逃がすことができる。
【００３８】
その結果、コンデンサＣ１３ａ〜Ｃ１３ｄの容量値を適切に設定して、受信回路２１に影響を与えるノイズのみ選択的に除去するようにすることにより、ＵＨＦアンテナ３のアンテナ機能にほとんど影響を与えることなく、平面部１０下方の受信回路２１をノイズから効果的に保護することができる。
【００３９】
なお、図４で示した実施の形態２のアンテナ装置において、実施の形態３のように、シールド端部１３ａ〜１３ｄをコンデンサＣ１３ａ〜Ｃ１３ｄを介してＧＮＤ部２５に接続する態様を行うことも勿論可能である。この場合、実施の形態３の効果に加え、実施の形態３のアンテナ装置の効果をさらに発揮することができる。
【００４０】
＜その他＞
本実施の形態で示した、ＵＨＦアンテナ１〜３によって平面視して全面を覆われる受信回路２１は、フィルタ、増幅器、発信器、混合器、検波器、信号変換器等からなる一般的に理解可能な全ての受信回路を含み、少なくともフィルタを除く、増幅器、発信器、混合器、検波器及び信号変換器を有する受信回路を意味する。
【００４１】
また、本実施の形態では、アンテナとしてＵＨＦアンテナ１〜３を示したが「ＵＨＦ」以外のアンテナにも採用できることは勿論である。
【符号の説明】
【００４２】
１〜３  ＵＨＦアンテナ
１０  平面部
１１  給電端部
１２  短絡端部
１３ａ〜１３ｄ  シールド端部
１４  開口部
２０  親基板
２１  受信回路
２２  ＧＮＤ接続用スタブ
２５  ＧＮＤ部
Ｃ１３ａ〜Ｃ１３ｄ  コンデンサ
【図１】
2012235337.tif 000003
【図２】
2012235337.tif 000004
【図３】
2012235337.tif 000005
【図４】
2012235337.tif 000006
【図５】
2012235337.tif 000007